(57)【要約】【課題】  結束帯を集積紙葉類の側面部に沿って押し付けながら折曲することにより、結束帯を集積紙葉類に密着させて結束できるようにする。【解決手段】  紙幣Ｐが所定枚数集積された集積紙幣Ｓの底面部に沿って結束帯３６を供給する供給リールと、この供給リールによって供給された結束帯３６の一端部側を集積紙幣Ｓの一側面部に沿って押し付けながら折り曲げたのち、集積紙幣Ｓの上面部に沿うように折り曲げる第１の折曲手段４６と、結束帯３６の他端部側を集積紙幣Ｓの他側面部に沿って押し付けながら折り曲げたのち、結束帯３６の一端部側に重なるように折り曲げる第２の折曲手段４７と、結束帯３６の一端部側と他端部側とが重ね合わされた部分を固着する加熱ヒータ３５とを具備する。【選択図】      図３
2005350073.tif 000002
【特許請求の範囲】
【請求項１】
紙葉類が所定枚数集積された集積紙葉類の底面部に沿って結束材を供給する供給手段と、
この供給手段によって供給された結束材の一端部側を前記集積紙葉類の一側面部に沿って押し付けながら折り曲げたのち、前記集積紙葉類の上面部に沿うように折り曲げる第１の折曲手段と、
前記結束材の他端部側を前記集積紙葉類の他側面部に沿って押し付けながら折り曲げたのち、前記結束材の一端部側に重なるように折り曲げる第２の折曲手段と、
前記結束材の一端部と他端部とが重ね合わされる部分を固着する固着手段と
を具備することを特徴とする紙葉類処理装置。
【請求項２】
前記第１及び第２の折曲手段は、前記集積紙葉類の側面部に沿って昇降自在な昇降部材と、この昇降部材の上端部に回動自在に取り付けられた回動部材と、この回動部材の回動端部が前記集積紙葉類の側面部に圧接するように弾性的に付勢する付勢部材とを有して構成されることを特徴とする請求項１記載の紙葉類処理装置。
【請求項３】
前記回動部材の回動端部に押圧ローラを設けたことを特徴とする請求項２記載の紙葉類処理装置。
【請求項４】
前記押圧ローラは固定的に設けられたことを特徴とする請求項３記載の紙葉類処理装置。
【発明の詳細な説明】
【技術分野】
【０００１】
本発明は、例えば、紙幣をその金種などに応じて区分集積し、或いは、紙幣を所定枚数ずつ結束する紙葉類処理装置に関する。
【背景技術】
【０００２】
この種の紙葉類処理装置には、載置部に紙幣を複数枚積層状態で載置し、この載置された紙幣を一枚ずつ取込んで搬送し、その金種、真偽、表裏の向きなどを鑑査部で判別し、この判別結果に基づいて紙幣を複数の排出部に区分排出し、或いは、鑑査した紙幣を集積部に所定枚数集積したのち、この集積紙幣を結束部に搬送して結束帯で結束処理するものがある（例えば、特許文献１参照。）。
【０００３】
ところで、結束部には、結束帯を集積紙幣の底面部に沿って供給し、その一側部側を第１の折曲部材によって集積紙幣の一側面部に沿って折り曲げたのち、上面部に沿うように折り曲げ、また、結束帯の他端部側を第２の折曲部材によって集積紙幣の他側面部に沿って折り曲げたのち結束帯の一側部側に重なるように折り曲げ、この重ね合わされた部分をヒータによってヒートシールして結束するものがある。
【特許文献１】特開平８−２３５４０６号公報
【発明の開示】
【発明が解決しようとする課題】
【０００４】
しかしながら、従来においては、結束帯の一端部側を第１の折曲部材、他端部側を第２の折曲部材によって単に折り曲げるだけであったため、結束帯が集積紙幣の側面部に密着せず、結束帯に緩みや弛みができ、強固な結束が期待できないという問題があった。
【０００５】
本発明は上記事情に着目してなされたもので、その目的とするところは、結束材を集積紙葉類の側面部に沿って押し付けながら折曲することにより、結束材を集積紙葉類に密着させて結束できるようにした紙葉類処理装置を提供することにある。
【課題を解決するための手段】
【０００６】
上記課題を解決するため、請求項１記載の発明は、紙葉類が所定枚数集積された集積紙葉類の底面部に沿って結束材を供給する供給手段と、この供給手段によって供給された結束材の一端部側を前記集積紙葉類の一側面部に沿って押し付けながら折り曲げたのち、前記集積紙葉類の上面部に沿うように折り曲げる第１の折曲手段と、前記結束材の他端部側を前記集積紙葉類の他側面部に沿って押し付けながら折り曲げたのち、前記結束材の一端部側に重なるように折り曲げる第２の折曲手段と、前記結束材の一端部と他端部とが重ね合わされる部分を固着する固着手段とを具備することを特徴とする。
【発明の効果】
【０００７】
本発明によれば、結束材を集積紙葉類に密着させて折り曲げることができ、強固な結束が可能になる。
【発明を実施するための最良の形態】
【０００８】
以下、本発明を図面に示す実施の形態を参照して詳細に説明する。  
図１は本発明の一実施の形態である紙葉類処理装置としての紙幣整理機の外観を示すものである。
【０００９】
図１中１は装置本体で、この装置本体１の利用者が対面するフロント側の一側部側には紙葉類としての紙幣Ｐを各金種混合状態で投入させて載置する載置部２が設けられている。この載置部２に載置された紙幣Ｐはその下部側のものから後述する取込ローラにより取込まれるようになっている。装置本体１の上面部には、フロント側に位置して横方向に並列に排出部３ａ〜３ｃが配設されている。これら第１乃至第３の排出部３ａ〜３ｃには、金種別に紙幣が区分されて排出される。第１の排出部３ａには、例えば、千円紙幣、第２の排出部３ｂには一万円紙幣、第３の排出部３ｃにはリジェクト紙幣が排出される。
【００１０】
装置本体１の上面部には、排出部３ａ〜３ｃの後方に位置して操作部４及び表示部５が設けられている。操作部４は、例えば、計数分類処理モード、或いは、結束処理モードを選択的に設定できるようになっている。
【００１１】
図２は、紙幣整理機の内部構成を概略的に示すものである。
【００１２】
載置部２の下部側には紙幣Ｐを取込む取込ローラ７ａ，７ｂが配設されている。取込ローラ７ａ，７ｂの紙幣取込側には供給ローラ８が設けられ、この供給ローラ８の上面部には紙幣を一枚ずつ分離するための分離ローラ９が転接されている。分離ローラ９によって分離された紙幣Ｐは第１の搬送経路（搬送手段）１１に沿って搬送される。この第１の搬送経路１１の中途部には紙幣Ｐの金種、表裏、真偽等を識別する識別部１２が設けられている。
【００１３】
第１の搬送経路１１の紙幣搬送方向下流側には切替ゲート１３を介して第２及び第３の搬送経路１４，１５が接続されている。第２の搬送経路１４は紙幣Ｐを上記した第１乃至第３の排出部３ａ〜３ｃに搬送するものである。第２の搬送経路１４の中途部には、第１及び第２の切替ゲート１７，１８が配設され、これら第１及び第２の切替ゲート１７，１８の切替動作により紙幣Ｐが第１乃至第３の排出部３ａ〜３ｃへ選択的に搬送される。第１乃至第３の排出部３ａ〜３ｃの下部側には紙幣Ｐを排出するための排出ローラ対２０ａ〜２０ｃが配設されている。
【００１４】
一方、上記した第３の搬送経路１５の紙幣搬送方向下流側には表裏反転機構２２が接続されている。表裏反転機構２２で表裏が揃えられた紙幣は第４の搬送経路２４を介して集積部２６に搬送されて集積されるようになっている。集積部２６には紙幣Ｐが所定枚数、例えば１００枚集積される。
【００１５】
集積部２６の下方部には、集積紙幣を結束部３０へ搬送する搬送機構２８が設けられている。搬送機構２８は複数のローラ４３間に掛け渡されて走行する搬送ベルト４４を備え、この搬送ベルト４４の上面部に集積紙幣を載置して搬送するようになっている。
【００１６】
結束部３０は、搬送ベルト４４によって搬送されてくる集積紙幣を上下からクランプして受取るクランプ部材３１，３２と、このクランプ部材３１，３２間に挾持される集積紙幣に結束材としての結束帯３６を巻付ける後で詳述する帯巻付け機構３３と、結束帯３６を所定の長さに切断するカッタ３４と、結束帯３６の重合端部を熱接着する固着手段としてのヒータ３５等を備えている。
【００１７】
結束帯３６は供給リール３７から供給ルート３８に沿って供給され、供給ルート３８の中途部には結束帯３６に銀行の支店名、処理の日付け、通番等を印字する印字部４０が設けられている。印字部４０は印字ヘッド４１とこの印字ヘッド４１に対向するプラテンローラ４２を備えている。
【００１８】
図３は帯巻付け機構３３を示す構成図である。
【００１９】
帯巻付け機構３３は第１及び第２の折曲手段４６，４７を備えている。第１及び第２のの折曲手段４６，４７は、集積紙幣Ｓの側面部に沿って昇降自在な昇降部材４８ａ，４８ｂを有し、この昇降部材４８ａ，４８ｂは図示しない駆動モータ或いはソレノイド等によって昇降されるようになっている。一方の昇降部材４８ａは他方の昇降部材４８ｂよりも若干早く上昇され、後述するように結束帯３６の一端部側を他端部側よりも早く集積紙幣Ｓの上面部に沿うように折り曲げることができるようになっている。この昇降部材４８ａ，４８ｂの上端部には回動部材としての回動アーム４９ａ，４９ｂが回動自在に取り付けられている。回動アーム４９ａ，４９ｂの回動端部には押圧ローラ５０ａ，５０ｂが固定的に取り付けられている。回動アーム４９ａ，４９ｂは付勢部材としてのバネ材５１ａ，５１ｂによって弾性的に押圧され、その押圧ローラ５０ａ，５０ｂを集積紙幣Ｓの側面部に押し付けるようになっている。
【００２０】
次に、上記した紙幣整理機の処理動作について説明する。
【００２１】
まず、装置本体１の載置部２に混合金種の紙幣Ｐを積層状態で載置し、操作部４によって、計数分類処理モード或いは、結束処理モードを設定する。
【００２２】
この状態から取込ローラ７ａ，７ｂを回転駆動する。これにより、紙幣Ｐが取込まれ、供給ローラ８と分離ローラ９の回転により紙幣Ｐが一枚ずつ分離されて供給される。この紙幣Ｐは第１の搬送経路１１を介して識別部１２へ送られて識別される。
【００２３】
操作部４によって、例えば、計数分類処理モードが設定されていた場合には、識別された紙幣は第２の搬送経路１４を介して第１乃至第３の排出部３ａ〜３ｃに向かって搬送される。識別された紙幣が例えば千円券である場合には、第１の振分ゲート１７の動作により第１の排出ローラ対２０ａに送られ、この第１の排出ローラ対２０ａの回転により第１の排出部３ａに排出される。識別された紙幣が例えば万円券である場合には、第２の振分ゲート１８の動作により第２の排出ローラ対２０ｂに送られ、この第２の排出ローラ対２０ｂの回転により第２の排出部３ｂに排出される。識別された紙幣が例えば例えば２枚重なり紙幣、連鎖紙幣、偽紙幣等の識別不能紙幣、分類金種紙幣以外の金種紙幣である場合には、第３の排出ローラ対２０ｃに送られ、この第３の排出ローラ対２０ｃの回転により第３の排出部３ｃに排出される。
【００２４】
一方、操作部４によって結束処理モードが設定されていた場合には、予め結束する紙幣の金種を指定しておくと、指定金種の紙幣は切替ゲート１３を介して第３の搬送経路１５へ送られて表裏反転機構２２に搬送される。この表裏反転機構２２に送られた紙幣は一方の面に揃えられたのち第４の搬送経路２４を介して集積部２６に送り込まれる。
【００２５】
このとき、指定された金種以外の紙幣は計数分類処理モード時と同様に第１乃至第３の排出部３ａ〜３ｃに排出される。
【００２６】
集積部２６に所定枚数（例えば１００枚）の紙幣が集積されると、集積部２６から搬送ベルト４４上に移載される。この移載された集積紙幣は搬送ベルト４４の走行により図４（ａ）に示すように結束部３０に搬送されてクランプ部材３１，３２によって挾持される。このときには、供給リール３７から結束帯３６が供給され、この結束帯３６の表面には印字部４０により銀行の支店名、処理の日付け、通番等が印字される。また、この結束帯３６は集積紙幣Ｓの底面部に沿って送られ、所定長さ送り出されると、カッタ３４により切断される。この切断後、図４（ｂ）に示すように第１及び第２の折曲手段４６，４７の昇降部材４８ａ，４８ｂが上昇され、その押圧ローラ５０ａ，５０ｂにより結束帯３６の一端部及び他端部が押し上げられて集積紙幣Ｓの側面部に沿って折曲される。このとき、押圧ローラ５０ａ，５０ｂはバネ材５１ａ，５１ｂの押付力により結束帯３６を集積紙幣Ｓの側面部に押し付けながら上方に向かって摺動する。そして、押圧ローラ５０ａが所定距離上昇して図５（ａ）に示すように集積紙幣Ｓの側面部から上方へ離れるとバネ材５１ａの押付力により回動アーム４９ａが回動して押圧ローラ５０ａにより結束帯３６の一端部側が集積紙幣Ｓの上面部に沿うように折曲される。こののち、図５（ｂ）に示すように第２の折曲手段４７の押圧ローラ５０ｂが集積紙幣Ｓの他側面部から上方へ離れるとバネ材５１ｂの押付力により回動アーム４９ｂが回動して押圧ローラ５０ｂにより結束帯３６の他端部側が集積紙幣Ｓの上面部に沿うように折曲される。この折曲される結束帯３６の他端部側は既に折曲されている一端部側に重ね合わされ、この重合部が加熱ヒータ３５によりヒートシールさて結束される。
【００２７】
この結束された集積紙幣Ｓは、クランプ部材３１，３２間から放出されて図示しない収納部に収納される。
【００２８】
上記したように、この実施の形態によれば、第１及び第２の折曲手段４６，４７の押圧ローラ５０ａ，５０ｂにより結束帯３６を集積紙幣Ｓの側面部に沿って押し付けながら折曲するため、結束帯３６を集積紙幣Ｓに密着する状態で巻付けて結束することができ、強固な結束が可能になる。
【００２９】
なお、本発明は、上記一実施の形態に限られることなく、その要旨の範囲内で種々変形実施可能なことは勿論である。
【図面の簡単な説明】
【００３０】
【図１】本発明の一実施の形態である紙幣整理機を示す外観斜視図。
【図２】同紙幣整理機の内部構成を示す図。
【図３】同紙幣整理機の結束部を示す図。
【図４】同結束部の結束帯の巻付動作を示す図。
【図５】同結束部の結束帯の巻付動作を示す図。
【符号の説明】
【００３１】
Ｐ…紙葉類、Ｓ…集積紙葉類、３５…加熱ヒータ（固着手段）、３６…結束帯（結束材）、３７…供給リール（供給手段）、４６…第１の折曲手段、４７…第２の折曲手段、４８ａ，４８ｂ…昇降部材、４９ａ，４９ｂ…回動アーム（回動部材）、５０ａ,５０ｂ…押圧ローラ、５１ａ，５１ｂ…バネ材（付勢部材）。
【図１】
2005350073.tif 000003
【図２】
2005350073.tif 000004
【図３】
2005350073.tif 000005
【図４】
2005350073.tif 000006
【図５】
2005350073.tif 000007